(57)【要約】【課題】デジタル放送の選局後の待ち時間を短縮できる受信機、提示方法及び提示プログラムを提供すること。【解決手段】受信機１は、選局操作に応じて、選局されたチャンネルの放送コンテンツを受信して提示する第１提示部１１と、選局操作に応じて、選局されたチャンネルに対応付けられた代替コンテンツを受信して提示する第２提示部１２と、代替コンテンツの提示が開始された後、放送コンテンツの提示が可能になった時点で、代替コンテンツの提示から放送コンテンツの提示に切り替える切替制御部１３と、を備える。【選択図】図１
2019075720.tif 000002
【特許請求の範囲】
【請求項１】
選局操作に応じて、選局されたチャンネルの放送コンテンツを受信して提示する第１提示部と、
前記選局操作に応じて、前記選局されたチャンネルに対応付けられた代替コンテンツを受信して提示する第２提示部と、
前記第２提示部により前記代替コンテンツの提示が開始された後、前記第１提示部により前記放送コンテンツの提示が可能になった時点で、前記第２提示部による前記代替コンテンツの提示から前記第１提示部による前記放送コンテンツの提示に切り替える切替制御部と、を備える受信機。
【請求項２】
前記第２提示部は、複数のチャンネルそれぞれに対応付けられた前記代替コンテンツの画像の一覧を表示した選局用インタフェースを提供し、当該一覧から前記選局操作を受け付ける請求項１に記載の受信機。
【請求項３】
前記第２提示部は、前記選局用インタフェースとして、複数の前記代替コンテンツの連結画像を表示し、前記選局操作に応じて一の代替コンテンツを表示させる請求項２に記載の受信機。
【請求項４】
前記第２提示部は、前記連結画像を一のコンテンツとして受信し、前記選局操作に応じて、当該連結画像を拡大して前記一の代替コンテンツを表示させる請求項３に記載の受信機。
【請求項５】
前記代替コンテンツは、通信ネットワークを介して伝送される請求項１から請求項４のいずれかに記載の受信機。
【請求項６】
受信機による放送コンテンツの提示方法であって、
選局操作に応じて、選局されたチャンネルに対応付けられた代替コンテンツを受信して提示し、
前記選局されたチャンネルの前記放送コンテンツを受信し、
前記代替コンテンツの提示が開始された後、前記放送コンテンツの提示が可能になった時点で、前記代替コンテンツの提示から前記放送コンテンツの提示に切り替える提示方法。
【請求項７】
放送コンテンツの提示プログラムであって、受信機に、
選局操作に応じて、選局されたチャンネルに対応付けられた代替コンテンツを受信して提示させ、
前記選局されたチャンネルの前記放送コンテンツを受信させ、
前記代替コンテンツの提示が開始された後、前記放送コンテンツの提示が可能になった時点で、前記代替コンテンツの提示から前記放送コンテンツの提示に切り替えさせるための提示プログラム。
【発明の詳細な説明】
【技術分野】
【０００１】
本発明は、放送コンテンツを提示する受信機、提示方法及び提示プログラムに関する。
【背景技術】
【０００２】
従来、放送コンテンツは、デジタル放送に移行し、解像度の高い多チャンネルの映像コンテンツが提供されている。また、このような放送コンテンツが何らかの理由により受信及び提示できない場合に、代替コンテンツに切り替える手法が提案されている。
【０００３】
特許文献１には、スクランブルされた放送コンテンツのデスクランブルが行えない場合に、代替コンテンツとしてスクランブルされないワンセグ放送又は系列の放送を再生する技術が提案されている。
特許文献２には、コンテンツを受信機で蓄積して再生する際に、コンテンツの有効期限が切れていた場合に代替コンテンツをネットワークから取得する技術が提案されている。
特許文献３には、放送で階層伝送が行われているときに、誤り耐性の弱い高階層により伝送されているデータが正しく受信できなくなった場合、映像と音声とを独立してより耐性の強い低階層で伝送されているものに切り替える技術が提案されている。
【先行技術文献】
【特許文献】
【０００４】
【特許文献１】特開２０１４−１３５５３０号公報
【特許文献２】特開２０１１−０２３８０７号公報
【特許文献３】特開２００８−１５４０６２号公報
【発明の概要】
【発明が解決しようとする課題】
【０００５】
ところで、デジタル放送を提示する受信機は、選局後に、受信信号との同期の確立、デインターリーブ、復号などの様々な動作を必要とする。このため、選局後直ちに映像及び音声コンテンツの提示が始まらず、高品質なコンテンツであるほど視聴開始までの待ち時間が掛かっていた。
したがって、次々にチャンネルを変更するザッピングと呼ばれる、アナログ放送では一般的だった視聴行動が事実上機能していない。ザッピングが機能しないことにより、見たいものが定まっていない視聴者を誘導することが困難になっている。
【０００６】
一方、いわゆるＯＴＴ（Ｏｖｅｒ−Ｔｈｅ−Ｔｏｐ）サービスにおいては、コンテンツが選択されてからどれだけ早く再生を開始できるかが、ユーザがサービスを利用してくれるかどうかの重要な要素となっている。放送コンテンツについても、同様であり、ネットサービスを含む多様なメディアが視聴可能な環境にあっては、選局操作からコンテンツが提示されるまでという過渡時の所要時間の長さがメディアとしての競争力を削ぐ結果となっていた。
【０００７】
前述の特許文献１〜３のいずれの技術も、選局操作後に安定して受信及び提示できる状態になってからのものであり、過渡時の所要時間を短縮するものではない。
【０００８】
本発明は、デジタル放送の選局後の待ち時間を短縮できる受信機、提示方法及び提示プログラムを提供することを目的とする。
【課題を解決するための手段】
【０００９】
本発明に係る受信機は、選局操作に応じて、選局されたチャンネルの放送コンテンツを受信して提示する第１提示部と、前記選局操作に応じて、前記選局されたチャンネルに対応付けられた代替コンテンツを受信して提示する第２提示部と、前記第２提示部により前記代替コンテンツの提示が開始された後、前記第１提示部により前記放送コンテンツの提示が可能になった時点で、前記第２提示部による前記代替コンテンツの提示から前記第１提示部による前記放送コンテンツの提示に切り替える切替制御部と、を備える。
【００１０】
前記第２提示部は、複数のチャンネルそれぞれに対応付けられた前記代替コンテンツの画像の一覧を表示した選局用インタフェースを提供し、当該一覧から前記選局操作を受け付けてもよい。
【００１１】
前記第２提示部は、前記選局用インタフェースとして、複数の前記代替コンテンツの連結画像を表示し、前記選局操作に応じて一の代替コンテンツを表示させてもよい。
【００１２】
前記第２提示部は、前記連結画像を一のコンテンツとして受信し、前記選局操作に応じて、当該連結画像を拡大して前記一の代替コンテンツを表示させてもよい。
【００１３】
前記代替コンテンツは、通信ネットワークを介して伝送されてもよい。
【００１４】
本発明に係る提示方法は、受信機による放送コンテンツの提示方法であって、選局操作に応じて、選局されたチャンネルに対応付けられた代替コンテンツを受信して提示し、前記選局されたチャンネルの前記放送コンテンツを受信し、前記代替コンテンツの提示が開始された後、前記放送コンテンツの提示が可能になった時点で、前記代替コンテンツの提示から前記放送コンテンツの提示に切り替える。
【００１５】
本発明に係る提示プログラムは、放送コンテンツの提示プログラムであって、受信機に、選局操作に応じて、選局されたチャンネルに対応付けられた代替コンテンツを受信して提示させ、前記選局されたチャンネルの前記放送コンテンツを受信させ、前記代替コンテンツの提示が開始された後、前記放送コンテンツの提示が可能になった時点で、前記代替コンテンツの提示から前記放送コンテンツの提示に切り替えさせる。
【発明の効果】
【００１６】
本発明によれば、デジタル放送を選局後の待ち時間を短縮できる。
【図面の簡単な説明】
【００１７】
【図１】第１実施形態に係る受信機の機能構成を示す図である。
【図２】第１実施形態に係る選局動作に伴い提供されるサービスの遷移を示す図である。
【図３】第１実施形態に係る放送コンテンツの提示方法を示すフローチャートである。
【図４】第１実施形態に係る受信機の動作と提供されるサービスとの関係を示す図である。
【図５】第２実施形態に係る受信機の機能構成を示す図である。
【図６】第２実施形態に係る選局動作に伴い提供されるサービスの遷移を示す図である。
【図７】第２実施形態に係る放送コンテンツの提示方法を示すフローチャートである。
【図８】第２実施形態に係る受信機の動作と提供されるサービスとの関係を示す図である。
【発明を実施するための形態】
【００１８】
［第１実施形態］
以下、本発明の第１実施形態について説明する。
本実施形態の受信機１は、高品質のデジタル放送コンテンツを受信すると共に、この放送コンテンツの信号処理を行い提示が開始されるまでの間、代替コンテンツの提示を行う。
なお、代替コンテンツは、放送サービスにおける複数のチャンネルそれぞれに対応して、放送により提供されてもよいし、通信ネットワークにより提供されてもよい。
【００１９】
図１は、本実施形態に係る受信機１の機能構成を示す図である。
受信機１は、第１提示部１１と、第２提示部１２と、切替制御部１３と、入力部１４と、出力部１５とを備える。
【００２０】
第１提示部１１は、入力部１４を介してユーザから選局操作を受け付けたことに応じて、選局されたチャンネルの放送信号を受信し、所定の処理を施した映像及び音声（放送コンテンツ）を出力部１５に出力して提示する。
【００２１】
第２提示部１２は、入力部１４を介してユーザから選局操作を受け付けたことに応じて、選局されたチャンネルに対応付けられた代替コンテンツを受信し、所定の処理を施した映像又は音声を出力部１５に出力して提示する。
【００２２】
ここで、代替コンテンツは、放送コンテンツに比べて解像度が低く、さらに、誤り訂正及びインターリーブを行わない又は抑えた信号により伝送される。これにより、代替コンテンツは、放送コンテンツに比べて品質が低い代わりに、受信後の処理負荷が低いため、即座に提示可能となる。
なお、代替コンテンツは、放送コンテンツと同様の映像及び音声を含むコンテンツであってよいが、より処理負荷を低減するために、例えば音声のみのコンテンツであってもよい。
【００２３】
代替コンテンツは、例えば、以下の経路で伝送される。
（１）放送チャンネル。１伝送チャンネルに複数の放送チャンネル分が多重されていてもよいし、放送チャンネル毎にそれぞれ独立した伝送チャンネルが設けられてもよい。
（２）ブロードバンド通信。（１）と同様に、複数の放送チャンネル分が多重されていてもよいし、放送チャンネル毎に独立した伝送が行われてもよい。
【００２４】
切替制御部１３は、第２提示部により代替コンテンツの提示が開始された後、第１提示部により放送コンテンツの出力準備が整い提示が可能になったことが通知されると、この時点で、第２提示部による代替コンテンツの提示から第１提示部による放送コンテンツの提示に切り替える。
また、切替制御部１３は、入力部１４からユーザの操作入力情報を受け取り、第１提示部１１及び第２提示部１２に指定されたチャンネルを通知して対象コンテンツの提示を指示してもよい。
【００２５】
入力部１４は、ユーザの操作入力を受け付けるデバイスであり、受信機１の筐体に設けられた入力キーの他、リモコンからの指示信号を受信する無線デバイスを含む。
出力部１５は、第１提示部１１及び第２提示部１２から受信した信号を出力するデバイスであり、コンテンツの映像を画面表示するディスプレイ、及び音声を出力するスピーカなどを含む。
【００２６】
図２は、本実施形態に係る選局動作に伴い提供されるサービスの遷移を示す図である。
ユーザは、リモコンのチャンネル切替キー（Ｕｐ、Ｄｏｗｎ）又はテンキーなどの操作により、あるいは、ＥＰＧ（Ｅｌｅｃｔｒｏｎｉｃ  Ｐｒｏｇｒａｍ  Ｇｕｉｄｅ）などの番組表から選択することにより選局を行う。
【００２７】
ユーザが選局操作を行うと、出力部１５の画面上には全画面で代替サービスの低解像度映像Ａが短時間のうちに表示される。
また、選局操作に伴い、受信機１の第１提示部１１は、代替サービスの提示開始後、又は提示動作と並行して放送コンテンツの選局動作そのものも行い、チューニング及び復号処理などの提示準備を行う。放送コンテンツが提示可能な状態になると、代替コンテンツに代えて、高品質映像である放送コンテンツＢが提示される。
【００２８】
図３は、本実施形態に係る受信機１による放送コンテンツの提示方法を示すフローチャートである。
ステップＳ１において、入力部１４は、ユーザからの選局操作を受け付け、切替制御部１３に通知する。
ステップＳ２において、第２提示部１２は、切替制御部１３からチャンネル情報を受け取ると、このチャンネルに対応した代替コンテンツを受信し、提示を行う。
【００２９】
ステップＳ３において、第１提示部１１は、切替制御部１３からチャンネル情報を受け取ると、このチャンネルへの選局動作を行い、放送コンテンツの提示準備を開始する。
なお、ステップＳ２及びＳ３は、順序が逆であってもよいし、並列に行われてもよい。
【００３０】
ステップＳ４において、切替制御部１３は、第１提示部１１による放送コンテンツの提示が可能になったか否かを第１提示部１１からの通知に基づき判定する。この判定がＹＥＳの場合、処理はステップＳ５に移り、判定がＮＯの場合、処理はステップＳ４を繰り返す。
ステップＳ５において、切替制御部１３は、ステップＳ２で開始した第２提示部１２による代替コンテンツの提示を、第１提示部１１による放送コンテンツの提示に切り替える。
【００３１】
図４は、本実施形態に係る受信機１の動作と提供されるサービスとの関係を示す図である。
受信機１が選局操作を受け付けると、放送コンテンツの選局動作が行われている間、代替サービスがユーザに提供される。選局動作が終了し、放送コンテンツが提示可能状態になると、受信機１は、放送コンテンツの提示動作を行い、この間は放送サービスがユーザに提供される。
さらに、放送サービスのチャンネルを切り替える選局操作を受け付けると、同様に、受信機１が選局動作を開始し、選局動作が行われている間、代替サービスがユーザに提供され、放送コンテンツが提示可能状態になると、放送サービスがユーザに提供される。
【００３２】
なお、代替サービスが提供されていて受信機１の選局動作が完了する前に、再度選局操作が行われた場合には、受信機１は、新たに選択されたチャンネルの選局動作を開始し、対応する代替サービスが新たに提供される。
また、本実施形態における選局動作は、現在のチャンネルから他のチャンネルへの切り替えの他、受信機１の電源投入による既定のチャンネルの提示動作を含んでよい。
【００３３】
本実施形態によれば、受信機１は、選局されたチャンネルの放送コンテンツが提示されるまでの間、提示準備に要する時間が短い代替コンテンツを提示し、放送コンテンツの提示準備が整うと、代替コンテンツから放送コンテンツへ切り替える。
したがって、受信機１は、デジタル放送が選局後に視聴可能となるまでの待ち時間を短縮できる。この結果、放送サービスのメディアとしての競争力の確保につながる。
【００３４】
また、受信機１は、代替コンテンツを、通信ネットワークを介して受信することにより、専用の放送用チューナを設けることなく、既存の通信機能を利用して、容易に本実施形態の構成を実現できる。
【００３５】
［第２実施形態］
以下、本発明の第２実施形態について説明する。
なお、第１実施形態と同様の構成には同一の符号を付し、説明を省略又は簡略化する。
【００３６】
本実施形態の受信機１ａは、視聴するチャンネルの選択を受け付ける選局用インタフェースを提供する。チャンネルの決定後、第１実施形態の受信機１と同様に、受信機１ａは、高品質のデジタル放送コンテンツを受信すると共に、この放送コンテンツの信号処理を行い提示が開始されるまでの間、代替コンテンツの提示を行う。
【００３７】
図５は、本実施形態に係る受信機１ａの機能構成を示す図である。
受信機１ａは、第１提示部１１と、第２提示部１２ａと、切替制御部１３と、入力部１４と、出力部１５とを備える。第２提示部１２ａは、第１実施形態の受信機１に比べて、選局用インタフェースに関する新たな機能が付加されている。
【００３８】
第２提示部１２ａは、放送サービスの複数のチャンネルそれぞれに対応付けられた代替コンテンツの画像の一覧を表示した選局用インタフェースを提供する。
第２提示部１２ａは、この選局用インタフェースにおける画像の一覧からの選局操作を、入力部１４を介して受け付ける。
【００３９】
図６は、本実施形態に係る選局動作に伴い提供されるサービスの遷移を示す図である。
ユーザがリモコンの特定のボタンを押すなどの操作により選局開始が指示されると、選局用インタフェースとして、代替サービスによる放送チャンネルの一覧の画面Ａが表示される。この一覧は、例えば、各放送チャンネルに対応する代替コンテンツが縮小された、低解像度映像が連結された画像として表示され、カーソルが当たっているチャンネルＡ１の音声が再生される形態である。
【００４０】
この一覧画像は、１つの動画像として構成されてもよく、動画像のどの領域が選択されたかによって選局が行われる。この場合、代替サービスは起動しているものの、ユーザが一覧の中の特定の画像を選択するまでは選局すべきチャンネルが確定していない。
【００４１】
ユーザがカーソルを操作して一覧の中からチャンネルを選択、決定することで、選択されたチャンネルに対する代替コンテンツの映像Ａ２が全画面に表示される。このとき、音声も選択されたチャンネルのものが再生される。
その後、決定されたチャンネルの提示準備が整うと、放送コンテンツの高品質映像Ｂが提示される。
【００４２】
ここで、第２提示部１２ａは、複数チャンネルの代替コンテンツをそれぞれ受信し、連結して一覧表示してもよいが、選局用インタフェースとなる複数チャンネルの連結画像を、単一のコンテンツとして受信してもよい。この場合、選局操作によりチャンネルが決定すると、第２提示部１２ａは、連結画像を拡大して、対象チャンネルの代替コンテンツのみを全画面に表示する。
【００４３】
図７は、本実施形態に係る受信機１ａによる放送コンテンツの提示方法を示すフローチャートである。
ステップＳ１１において、入力部１４は、ユーザから選局操作の開始を指示する特定の操作入力を受け付け、切替制御部１３に通知する。
【００４４】
ステップＳ１２において、第２提示部１２ａは、切替制御部１３から選局開始の通知を受け取ると、選局用のインタフェースを提示する。
ステップＳ１３において、第２提示部１２ａは、入力部１４を介して選局用インタフェースに基づくユーザからの選局操作を受け付け、決定されたチャンネルを切替制御部１３に通知する。
ステップＳ１４において、第２提示部１２ａは、決定されたチャンネルに対応した代替コンテンツを受信し、提示を行う。
【００４５】
ステップＳ１５において、第１提示部１１は、切替制御部１３からチャンネル情報を受け取ると、このチャンネルへの選局動作を行い、放送コンテンツの提示準備を開始する。
【００４６】
ステップＳ１６において、切替制御部１３は、第１提示部１１による放送コンテンツの提示が可能になったか否かを第１提示部１１からの通知に基づき判定する。この判定がＹＥＳの場合、処理はステップＳ１７に移り、判定がＮＯの場合、処理はステップＳ１６を繰り返す。
ステップＳ１７において、切替制御部１３は、ステップＳ１４で開始した第２提示部１２ａによる代替コンテンツの提示を、第１提示部１１による放送コンテンツの提示に切り替える。
【００４７】
図８は、本実施形態に係る受信機１ａの動作と提供されるサービスとの関係を示す図である。
受信機１ａが選局操作の開始指示を受け付けると、選局用インタフェースを含む代替サービスがユーザに提供される。続いて、選局用インタフェースに基づいてチャンネルが決定されると、このチャンネルに対する放送コンテンツの選局動作が行われている間、引き続き代替サービスによる代替コンテンツがユーザに提供される。受信機１ａの選局動作が終了し、放送コンテンツが提示可能状態になると、受信機１ａは、放送コンテンツの提示動作を行い、この間は放送サービスがユーザに提供される。
【００４８】
再度、受信機１ａが選局操作の開始指示を受け付けると、同様に、代替サービスがユーザに提供され、チャンネル決定後に放送コンテンツが提示可能状態になると、放送サービスがユーザに提供される。
なお、選局用インタフェースを経由せず、ユーザから直接にチャンネルが指定されると、第１実施形態（図４）の流れで、受信機１ａによる選局動作と代替サービスの提供が時間差なく開始される。
【００４９】
本実施形態によれば、受信機１ａは、代替サービスによって、代替コンテンツの画像を一覧表示した選局用インタフェースを提供するので、代替コンテンツによりユーザの待ち時間を短縮しつつ、選局操作における利便性を向上できる。
【００５０】
また、受信機１ａは、選局用インタフェースとして、複数の代替コンテンツの連結画像を表示し、選局操作に応じて一の代替コンテンツを表示させる。したがって、ユーザは、インタフェース画面上で待ち時間なく複数のチャンネルの映像を確認しつつ、希望のチャンネルを決定できる。
【００５１】
さらに、受信機１ａは、複数のチャンネルの連結画像を一のコンテンツとして受信し、選局操作に応じて、この連結画像を拡大して一の代替コンテンツを表示させる。したがって、受信機１ａは、選局用インタフェースのために複数の信号を処理する必要がないので、処理負荷を低減できる。
【００５２】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５３】
本実施形態では、主に受信機１又は１ａの構成と動作について説明したが、本発明はこれに限られず、各構成要素を備え、放送コンテンツを提示するための方法、又はプログラムとして構成されてもよい。
【００５４】
さらに、受信機１又は１ａの機能を実現するためのプログラムをコンピュータで読み取り可能な記録媒体に記録して、この記録媒体に記録されたプログラムをコンピュータシステムに読み込ませ、実行することによって実現してもよい。
【００５５】
ここでいう「コンピュータシステム」とは、ＯＳや周辺機器などのハードウェアを含むものとする。また、「コンピュータで読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【００５６】
さらに「コンピュータで読み取り可能な記録媒体」とは、インターネットなどのネットワークや電話回線などの通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００５７】
具体的には、第２提示部１２又は１２ａによる代替サービスを提供するためのソフトウェア（アプリケーション）は、受信機１又は１ａ内に予め組み込まれていてもよいし、既知又は受信機１若しくは１ａに事前に設定された特定のサイトからダウンロードされてもよい。また、選択された放送チャンネルに対応する代替サービスで提示する内容の入手先は、代替サービスのソフトウェアに設定されていればよいので、固定である必要はなく更新可能でもよい。
【符号の説明】
【００５８】
１、１ａ  受信機
１１  第１提示部
１２、１２ａ  第２提示部
１３  切替制御部
１４  入力部
１５  出力部
【図１】
2019075720.tif 000003
【図２】
2019075720.tif 000004
【図３】
2019075720.tif 000005
【図４】
2019075720.tif 000006
【図５】
2019075720.tif 000007
【図６】
2019075720.tif 000008
【図７】
2019075720.tif 000009
【図８】
2019075720.tif 000010